(57)【要約】【課題】商品に付されるラベルを格納するラベル格納装置であって、商品に付すラベルが誤って選択されることを防止可能で、なおかつ、短時間で商品に付すラベルを見つけることが可能なラベル格納装置を提供する。【解決手段】ラベル格納装置１００は、格納棚１０と、記憶部と、報知部と、を備える。格納棚は、複数のラベルをそれぞれの格納場所Ｐにおいて格納する。記憶部は、商品を特定する商品情報と、その商品に関するラベルの格納場所の情報とを関連付けて商品別ラベル格納情報として記憶する。報知部は、商品が選択されると、商品別ラベル格納情報に基づき、選択された商品に対応するラベルの格納場所に関する報知を行う。【選択図】図１
2018131231.tif 000002
【特許請求の範囲】
【請求項１】
複数のラベルをそれぞれの格納場所において格納する格納部と、
商品を特定する商品情報と、その商品に関する前記ラベルの前記格納場所の情報とを関連付けて商品別ラベル格納情報として記憶する記憶部と、
前記商品が選択されると、前記商品別ラベル格納情報に基づき、選択された前記商品に対応する前記ラベルの前記格納場所に関する報知を行う報知部と、
を備えるラベル格納装置。
【請求項２】
前記商品の選択の入力を受け付ける入力部、を更に備える、
請求項１に記載のラベル格納装置。
【請求項３】
前記商品を処理する商品処理装置から前記商品の選択を受け付ける受付部、を更に備える、
請求項１に記載のラベル格納装置。
【請求項４】
前記格納場所のそれぞれに対応付けて配置される複数の表示器、を更に備え、
前記報知部は、前記商品が選択されると、選択された前記商品に対応する前記ラベルの前記格納場所に対応する前記表示器の表示を、待機状態表示から選択状態表示に切り換えて、選択された前記商品に対応する前記ラベルの前記格納場所を報知する、
請求項１から３のいずれか１項に記載のラベル格納装置。
【請求項５】
少なくとも１の表示部、を更に備え、
前記報知部は、前記商品が選択されると、選択された前記商品に対応する前記ラベルの前記格納場所を示す情報を前記表示部に表示させることで、選択された前記商品に対応する前記ラベルの前記格納場所を報知する、
請求項１から３のいずれか１項に記載のラベル格納装置。
【請求項６】
前記ラベルは、ＰＯＰラベルを含む、
請求項１から５のいずれか１項に記載のラベル格納装置。
【発明の詳細な説明】
【技術分野】
【０００１】
本発明は、商品に付されるラベルを格納するラベル格納装置に関する。
【背景技術】
【０００２】
スーパーマーケット等の店舗等において、販売される商品（例えば食品等が収容されている容器）に各種ラベルが付される場合がある。例えば、特許文献１（特開２００２−１７２８２０号公報）には、このようなラベルを生産する装置として、スーパーマーケット等に設置され、商品に貼付されるラベルを印字・発行するラベル印字装置が開示されている。
【０００３】
印字される情報の内容等によっては、商品が販売される店舗等で商品のそれぞれに対してラベルが印字・発行されることが好ましい場合もある。しかし、例えば、複数の同一商品に印字内容が同一のラベル（同一ラベル）が付される場合や、複数種類の商品に同一ラベルが付されるような場合には、作業効率等の観点から、予め印字済みのラベルが準備されることが好ましい。
【発明の概要】
【発明が解決しようとする課題】
【０００４】
しかし、一般に、店舗で取り扱われる商品は多様であり、商品によって異なるラベルが付される場合が多いため、店舗等では多種類のラベルを準備する必要があり、その中から商品に貼るべき正しいラベルを見つけるのに時間を要するおそれがある。また、同一商品であっても、商品に付されるラベルが変更になる場合もあり、このような場合には、特に、誤ったラベルが選択されたり、正しいラベルを見つけるのに長時間を要したりするおそれがある。
【０００５】
本発明の課題は、商品に付されるラベルを格納するラベル格納装置であって、商品に付すラベルが誤って選択されることを防止可能で、なおかつ、短時間で商品に付すラベルを見つけることが可能なラベル格納装置を提供することにある。
【課題を解決するための手段】
【０００６】
本発明の第１観点に係るラベル格納装置は、格納部と、記憶部と、報知部と、を備える。格納部は、複数のラベルをそれぞれの格納場所において格納する。記憶部は、商品を特定する商品情報と、その商品に関するラベルの格納場所の情報とを関連付けて商品別ラベル格納情報として記憶する。報知部は、商品が選択されると、商品別ラベル格納情報に基づき、選択された商品に対応するラベルの格納場所に関する報知を行う。
【０００７】
このラベル格納装置では、商品が選択されると、その商品に関するラベルの格納部における格納場所が報知される。その結果、商品に付す正しいラベルを間違えずに見つけ出すことができる。また、ラベルを探す時間が必要ではないため、効率よく商品に付すラベルを見つけ出すことができる。
【０００８】
本発明の第２観点に係るラベル格納装置は、第１観点に係るラベル格納装置であって、商品の選択の入力を受け付ける入力部を更に備える。
【０００９】
このラベル格納装置では、商品にラベルを付す作業者等が入力部から商品を選択することで、複数のラベルが格納された格納部において、その商品に対応するラベルを容易に見つけ出すことができる。そのため、商品やラベルの種類が多い場合や、頻繁に商品に付すラベルが変更される場合であっても、正確に、効率よく商品に付すラベルを特定することができる。
【００１０】
本発明の第３観点に係るラベル格納装置は、第１観点に係るラベル格納装置であって、受付部を更に備える。受付部は、商品を処理する商品処理装置から商品の選択を受け付ける。
【００１１】
このラベル格納装置では、商品を処理する商品処理装置から商品の選択を受け付けるので、作業者等がラベル格納装置において商品を選択する操作をすることなく、格納部において対象商品に対応するラベルを効率よく見つけ出すことができる。そのため、作業時間を特に短縮可能で、正しいラベルを効率よく見つけることができる。
【００１２】
本発明の第４観点に係るラベル格納装置は、第１観点から第３観点のいずれかに係るラベル格納装置であって、格納場所のそれぞれに対応付けて配置される複数の表示器、を更に備える。報知部は、商品が選択されると、選択された商品に対応するラベルの格納場所に対応する表示器の表示を、待機状態表示から選択状態表示に切り換えて、選択された商品に対応するラベルの格納場所を報知する。
【００１３】
このラベル格納装置では、商品が選択されると、その商品に対応するラベルの格納場所に対応付けられて配置された表示器の表示が切り換えられるため、作業者等は容易に商品に付すラベルを特定することができる。
【００１４】
本発明の第５観点に係るラベル格納装置は、第１観点から第３観点のいずれかに係るラベル格納装置であって、少なくとも１の表示部、を更に備える。報知部は、商品が選択されると、選択された商品に対応するラベルの格納場所を示す情報を表示部に表示させることで、選択された商品に対応するラベルの格納場所を報知する。
【００１５】
このラベル格納装置では、商品が選択されると、その商品に対応するラベルの格納場所を示す情報が表示部に表示されるため、作業者は容易に商品に付すラベルを特定することができる。
【００１６】
なお、ラベルの格納場所を示す情報には、例えば、格納部の格納場所に割り当てられた符号を示す文字情報や、格納場所の位置を示す画像情報が含まれる。
【００１７】
本発明の第６観点に係るラベル格納装置は、第１観点から第５観点のいずれかに係るラベル格納装置であって、ラベルは、ＰＯＰラベルを含む。
【００１８】
なお、ここでＰＯＰラベルとは、購買者の商品に対する購買意欲を惹起する情報を提供するラベルを意味する。購買者の商品に対する購買意欲を惹起する情報には、例えば、商品の品質に関する情報、商品の産地に関する情報、商品の割引に関する情報の他、販売促進・広告のための各種情報を含む。なお、購買者の商品に対する購買意欲を惹起する情報は、文字情報に限定されるものではなく、販売を促進するための画像情報であってもよい。
【００１９】
このラベル格納装置では、ラベルにＰＯＰラベルが含まれる。商品に付されるＰＯＰラベルは、例えば、日によって、あるいは、時間によって変更される場合があり、ＰＯＰラベルを商品に付す作業者が商品とＰＯＰラベルとの対応を正確に把握することが難しい場合がある。このような場合にも、正しいＰＯＰラベルが報知されるので、作業者は、間違えることなく、短時間で、商品に付す正しいＰＯＰラベルを特定することができる。
【発明の効果】
【００２０】
本発明に係るラベル格納装置では、商品が選択されると、その商品に関するラベルの格納部における格納場所が報知される。その結果、商品に付す正しいラベルを間違えずに見つけ出すことができる。また、ラベルを探す時間が必要ではないため、効率よく商品に付すラベルを見つけ出すことができる。
【図面の簡単な説明】
【００２１】
【図１】本発明の第１実施形態に係るラベル格納装置のブロック図である。
【図２】図１のラベル格納装置の格納棚を模式的に描画した図である。
【図３】図２の格納棚に格納されるラベルの例である。
【図４】図１のラベル格納装置の情報表示器のブロック図である。
【図５】図１のラベル格納装置のコンピュータのブロック図である。
【図６】図５のコンピュータに記憶されるラベル別格納情報の例である。
【図７】図５のコンピュータに記憶される商品別ラベル格納情報の例である。
【図８】図４の情報表示器に表示される表示（待機状態表示）の例である。
【図９】図１のラベル格納装置の表示装置に表示される表示（ラベル格納場所報知画像）の例である。
【図１０】変形例１Ａに係るラベル格納装置のブロック図である。
【図１１】本発明のラベル格納装置の第２実施形態に係るラベル貼付装置のブロック図である。
【図１２】図１１のラベル貼付装置のコンピュータのブロック図である。
【発明を実施するための形態】
【００２２】
本発明のラベル格納装置の実施形態について図面を参照しながら説明する。なお、以下の実施形態は、本発明の具体例であり本発明の技術的範囲を限定するものではなく、本発明の趣旨を逸脱しない範囲で適宜変更可能である。
【００２３】
＜第１実施形態＞
本発明のラベル格納装置の一実施形態に係るラベル格納装置１００について説明する。
【００２４】
（１）全体構成
ラベル格納装置１００は、商品にラベルを付す作業が行われる場所に設置される。ラベル格納装置１００は、例えば、各種商品（例えば、生鮮食品等）の販売されるスーパーマーケット等の店舗や、店舗で販売される商品の加工拠点等に設置される。
【００２５】
ラベル格納装置１００は、商品に付される複数種類のラベルを格納する装置である。ラベルは、種類別に、それぞれのラベルの格納場所に格納される。なお、ラベル格納装置１００は、複数種類の商品用にラベルを格納する。各商品に付されるラベルは、商品に付すラベルを管理する管理者等により定められている。商品にラベルを付す作業を行う作業員は、ラベル格納装置１００から、ラベルの貼付対象の商品に付すべきラベルを取り出し、取り出したラベルを作業台（図示省略）上で商品に付す。
【００２６】
図１は、ラベル格納装置１００のブロック図である。
【００２７】
ラベル格納装置１００は、主に、格納棚１０と、コンピュータ２０と、複数の情報表示器３０と、表示装置４０と、を備える（図１参照）。
【００２８】
格納棚１０は、ラベルを格納する格納場所Ｐを複数有する（図１参照）。各格納場所Ｐには、それぞれ異なる種類の、所定のラベルが格納されている。格納場所Ｐに格納されるラベルには、例えば、図３に示すようなラベルＲ１〜Ｒ３を含む。
【００２９】
図３に示したラベルＲ１〜Ｒ３は、ＰＯＰラベルの一例である。ここで、ＰＯＰラベルとは、購買者の商品に対する購買意欲を惹起する情報を提供するラベルを意味する。購買者の商品に対する購買意欲を惹起する情報には、例えば、商品の品質に関する情報、商品の産地に関する情報、商品の割引に関する情報の他、販売促進・広告のための各種情報を含む。例えばラベルＲ１（図３（ａ）参照）は、商品が新鮮であるという商品の品質に関する情報を購買者に対して提供するＰＯＰラベルの一例である。ラベルＲ２（図３（ｂ）参照）は、商品の産地に関する情報を購買者に対して提供するＰＯＰラベルの一例である。ラベルＲ３（図３（ｃ）参照）は、商品が特別価格で提供されているという商品の割引に関する情報を購買者に対して提供するＰＯＰラベルの一例である。
【００３０】
なお、ＰＯＰラベルの印字内容は、ラベルＲ１〜Ｒ３に示した印字内容に限定されるものではなく、様々な購買者の商品に対する購買意欲を惹起する情報を含むことができる。また、ＰＯＰラベルの印字内容は、文字情報に限定されるものではなく、販売を促進できるような画像情報（例えばイメージ写真等）であってもよい。また、ＰＯＰラベルには様々なデザイン（フォントやラベルの形状等）を採用可能である。
【００３１】
また、格納棚１０に格納されるラベルは、ＰＯＰラベル以外のラベルであってもよい。例えば、ラベルは、販売促進・広告の意図がない、あるいは、販売促進・広告を主目的としない情報が印字されたラベルであってもよい。例えば、格納棚１０に格納されるラベルは、商品名、原材料名、内容量、商品価格、販売者／製造者情報、消費期限等の情報が印字されたラベルであってもよい。
【００３２】
コンピュータ２０は、商品別ラベル格納情報を記憶する。また、コンピュータ２０は、ラベルの格納場所に関する報知を行う。商品別ラベル格納情報、及び、ラベルの格納場所に関する報知については後述する。
【００３３】
情報表示器３０は、格納棚１０の格納場所Ｐのそれぞれに対応付けて配置され、後述する待機状態表示や、選択状態表示を表示部３１に表示する装置である。
【００３４】
表示装置４０は、その表示部４１に、後述するラベル格納場所報知画面を表示する装置である。本実施形態では、表示装置４０は１台である。ただし、ラベル格納装置１００は、複数の表示装置４０を有していてもよい。
【００３５】
コンピュータ２０と情報表示器３０とは、ネットワーク９１を介して接続されている。コンピュータ２０と表示装置４０とは、ネットワーク９２を介して接続されている。ネットワーク９１は、コンピュータ２０と情報表示器３０との間で送受信される信号の伝送路として機能する。ネットワーク９２は、コンピュータ２０と表示装置４０との間で送受信される信号の伝送路として機能する。ネットワーク９１，９２は、アクセスポイント（図示省略）を用いて構成されるいわゆる無線ＬＡＮである。なお、コンピュータ２０と情報表示器３０、あるいは、コンピュータ２０と表示装置４０は、無線ＬＡＮにより通信を行うものに限定されるものではなく、赤外線通信や、他の無線技術により無線通信可能に構成されていてもよい。また、コンピュータ２０と情報表示器３０、あるいは、コンピュータ２０と表示装置４０は、通信ケーブルで接続され、互いの間で有線通信を行うものであってもよい。さらに、ネットワーク９１，９２は、同一の方式でなくてもよく、例えば、ネットワーク９１が無線ＬＡＮで、ネットワーク９２が有線ＬＡＮであってもよい。
【００３６】
（２）詳細構成
格納棚１０と、情報表示器３０と、表示装置４０と、コンピュータ２０と、について更に説明する。
【００３７】
（２−１）格納棚
格納棚１０は、格納部の一例である。格納棚１０は、複数種類のラベルを、それぞれの格納場所Ｐにおいて格納する棚である。なお、格納部は、棚である必要はなく、ラベルの収容空間を有する設備や装置であればよい。
【００３８】
格納棚１０は、ラベルを格納する格納場所Ｐを複数有する。各格納場所Ｐに格納されるラベルの種類は格納棚１０を管理する管理者等により決定されている。各格納場所Ｐには、例えば図２のように、格納場所Ｐの位置を特定する識別符号（Ｐ１１〜Ｐ１４，Ｐ２１〜Ｐ２４，Ｐ３１〜Ｐ３４）が付与されている。後述するコンピュータ２０は、各格納場所Ｐ（各識別符号が付された格納場所Ｐ）に格納されるラベルの種類を記憶している。なお、図２中の格納場所Ｐの数は、例示に過ぎず、格納場所Ｐの数は図２に描画されたものに限定されない。
【００３９】
本実施形態では、各ラベルの表面には各種情報（文字や図形や画像等）が印字され、ラベルの背面（印字面とは反対側の面）には粘着層が設けられている。格納棚１０の各格納場所Ｐには、ラベルが、その背面が台紙（剥離紙）に貼り合わされた状態で格納されている。格納棚１０には、１枚のシート状の台紙に１枚のラベル又は複数枚の同一ラベルが貼り合わされたもの、ロール状の台紙に複数枚の同一ラベルが貼り合わされたもの等、様々な態様でラベルが保管される。例えば、図２中の識別符号Ｐ１１〜Ｐ１４が付与された格納場所Ｐには、ロール状の台紙に複数枚の同一ラベルが貼り合わされたものが格納されている。図２中の識別符号Ｐ２１〜Ｐ２４，Ｐ３１〜Ｐ３４が付与された格納場所Ｐには、シート状の台紙に１枚のラベル又は複数枚の同一ラベルが貼り合わされたものが、それぞれの格納場所Ｐに置かれた容器内に格納されている。商品にラベルを貼付する作業者は、商品にラベルを付す際、台紙からラベルを剥がし、剥がしたラベルを商品に貼り付ける。
【００４０】
（２−２）情報表示器
情報表示器３０は、格納棚１０の格納場所Ｐのそれぞれに対応付けて配置される。なお、格納場所Ｐに対応する位置とは、その格納場所Ｐに関する情報を表示するのに適した位置を意味する。例えば、具体的には、格納場所Ｐに対応する位置は、その格納場所Ｐに隣接する位置である。本実施形態では、図２のように、格納場所Ｐのそれぞれの下方に、その格納場所Ｐと対応する情報表示器３０が配置される。
【００４１】
情報表示器３０は、表示部３１に各種表示を表示可能に構成されている。情報表示器３０は、例えば、待機状態表示と、選択状態表示と、を表示する。情報表示器３０は、待機状態表示として、例えば、その情報表示器３０に対応付けられた格納場所Ｐに格納されているラベルの印字内容をモノクローム表示する（図８参照）。また、情報表示器３０は、選択状態表示として、例えば、待機状態表示の表示色を反転させた画像を表示する（図示省略）。つまり、例えば待機状態表示が白地に黒色で文字を表示させるものであれば、選択状態表示は、黒字に白色で文字を表示させるものである。後述するように、後述するコンピュータ２０の入力部２２から商品が（商品の種類が）選択されると、後述するコンピュータ２０の報知部２６は、その商品に対応するラベルの格納場所Ｐに対応する情報表示器３０の表示を、待機状態表示から選択状態表示に切り換える。その結果、選択された商品に対応するラベルの格納場所Ｐが、作業者等に対して報知される。
【００４２】
情報表示器３０の構成について、図４を用いて説明する。情報表示器３０は、主に、表示部３１と、通信部３２と、記憶部３３と、制御部３４と、を有する。
【００４３】
表示部３１は、例えば、マイクロカプセル方式、電子粉流体方式、液晶方式、エレクトロウェッティング方式、電気泳動方式等の各種方式の電子ペーパである。ただし、表示部３１は、電子ペーパではなくてもよく、例えば液晶ディスプレイであってもよい。
【００４４】
通信部３２は、コンピュータ２０との通信機能を担う機能部である。通信部３２は、無線でコンピュータ２０との通信を行う。通信部３２は、コンピュータ２０と無線通信を行うためのアンテナ、無線通信回路、及びベースバンドＬＳＩを主に含む（図示省略）。
【００４５】
記憶部３３は、ＲＡＭ、ＲＯＭ等のメモリで構成されている。記憶部３３には、各種情報が記憶されている。例えば、記憶部３３には、制御部３４が実行するプログラム、及び、プログラムの実行に必要なデータが格納されている。また、記憶部３３には、例えば、コンピュータ２０から受信した待機状態表示や選択状態表示の画像データが格納される。
【００４６】
制御部３４は、主にＣＰＵを有する。制御部３４は、記憶部３３に記憶されているプログラムを実行し、情報表示器３０の動作を制御する。例えば、制御部３４は、コンピュータ２０の送信してきた待機状態表示や選択状態表示の画像データを通信部３２が受信すると、受信した画像データを記憶部３３に記憶すると共に、この画像データが表示されるよう、表示部３１の表示を制御する。
【００４７】
なお、情報表示器３０は、内蔵のバッテリーを電源として動作するものであっても、外部から電気の供給を受けるものであってもよい。
【００４８】
（２−３）表示装置
表示装置４０は、ネットワーク９２を介してコンピュータ２０と接続され、コンピュータ２０から送信されてくる情報（図９に示すようなラベル格納場所報知画像等）を表示部４１に表示する装置である。ラベル格納場所報知画像については後述する。
【００４９】
表示装置４０は、格納棚１０の近傍に配置されることが好ましい。例えば、表示装置４０は、格納棚１０の側方に、格納棚１０に隣接して配置される。
【００５０】
表示装置４０には、例えば、情報表示器３０と同構成の機器を採用することができる。表示装置４０の構成についての説明は省略する。
【００５１】
なお、表示装置４０には、例えば、多数のＬＥＤの明滅により文字や図を表示する電光掲示板等が採用されてもよい。
【００５２】
（２−４）コンピュータ
コンピュータ２０は、商品に関する各種情報を記憶・管理する装置である。
【００５３】
コンピュータ２０に記憶される商品に関する各種情報には、商品別ラベル格納情報を含む。商品別ラベル格納情報は、商品を特定する商品情報と、その商品に関するラベルの格納場所の情報と、を関連付けた情報である。
【００５４】
コンピュータ２０は、後述する制御部２５の機能部としての報知部２６を有する。報知部２６は、後述するように、入力部２２を介してラベルの貼付対象の商品が選択されると、商品別ラベル格納情報に基づき、選択された商品に対応するラベルの格納場所に関する報知を行う。
【００５５】
コンピュータ２０は、通信部２１と、入力部２２と、出力部２３と、記憶部２４と、制御部２５と、を主に有する（図５参照）。
【００５６】
（２−４−１）通信部
通信部２１は、情報表示器３０や表示装置４０と通信を行うための通信回路を主に含む（図示省略）。通信部２１は、ネットワーク９１を介して情報表示器３０と通信を行う。また、通信部２１は、ネットワーク９２を介して表示装置４０と通信を行う。
【００５７】
（２−４−２）入力部
入力部２２は、コンピュータ２０に記憶されている情報を管理する情報管理者や、商品にラベルを貼付する作業者が、コンピュータ２０に対して各種情報や指示等を与える際に用いる装置である。入力部２２には、例えば、キーボード、マウス、及びハンディスキャナを含む。
【００５８】
ラベル貼付作業者は、ある商品に対してラベルの貼付作業を行う際に、入力部２２の一例であるハンディスキャナにラベルの貼付対象の商品に付されたバーコード（図示省略）読み取らせることで、ラベルの貼付対象の商品を選択する。言い換えれば、入力部２２の一例であるハンディスキャナは、商品の選択の入力を受け付ける。なお、ラベル貼付作業者は、ハンディスキャナに代えて、入力部２２の一例であるキーボード又はマウスを用いて、ラベルの貼付対象の商品を選択してもよい。
【００５９】
また、コンピュータ２０に記憶されている情報を管理する情報管理者等は、記憶部２４に記憶されている情報について、内容の追加や、更新や、削除を行う場合に、入力部２２の一例であるキーボードやマウス等を用いてこれらの作業を行う。
【００６０】
（２−４−３）出力部
出力部２３は、コンピュータ２０の操作者に対して情報を提示する装置である。出力部２３は、例えば、液晶ディスプレイを含む。
【００６１】
（２−４−４）記憶部
記憶部２４は、主に、ＲＡＭ、ＲＯＭや、ハードディスクドライブ等の補助記憶装置を有する。記憶部２４は、各種情報を記憶する。
【００６２】
例えば、記憶部２４には、制御部２５が各種処理を行うために実行するプログラムや、他の機器との通信に使用される通信プロトコルが定義されたプログラム等が格納されている。
【００６３】
また、記憶部２４は、各種情報を記憶する複数の記憶領域を有する。複数の記憶領域には、ラベル別格納情報記憶領域２４ａと、商品別ラベル格納情報記憶領域２４ｂと、表示器設置位置情報記憶領域２４ｃと、を含む（図５参照）。また、記憶部２４は、商品に関する各種情報を記憶する商品マスタ記憶領域（図示省略）を含む。商品マスタ記憶領域には、商品別（商品ＩＤ別）に、商品名、商品の単価、価格、在庫情報等の、商品に関する各種情報が関連付けられて記憶されている。
【００６４】
（２−４−４−１）ラベル別格納情報記憶領域
ラベル別格納情報記憶領域２４ａには、ラベル別格納情報が記憶される。ラベル別格納情報は、少なくともラベルを特定するラベル情報（例えば、ラベル名）と、そのラベルの格納棚１０における格納場所Ｐの情報（ラベルが格納された格納場所Ｐの識別符号）と、そのラベルの印字内容と、が関連付けられた情報である（図６参照）。
【００６５】
例えば、ラベル別格納情報記憶領域２４ａには、各ラベルについて、ラベルＮｏと、ラベル名と、ラベルの印字内容と、そのラベルの格納棚１０における格納場所Ｐの情報と、が関連付けて記憶される（図６参照）。ラベルの印字内容は、例えば印字内容の文字情報である。ただし、これに限定されるものではなく、ラベルの印字内容は、例えば印字内容の画像情報であってもよい。
【００６６】
コンピュータ２０に記憶されている情報を管理する情報管理者等は、あるラベルの格納場所Ｐが変更になった場合や、ある格納場所Ｐに新たなラベルが格納されることになった場合等に、入力部２２を用いてラベル別格納情報記憶領域２４ａの記憶内容を更新する。なお、ラベル別格納情報記憶領域２４ａの記憶内容の更新方法は、一例に過ぎず、情報管理者は、例えば、通信部２１と通信可能な携帯端末を用いて、ラベル別格納情報記憶領域２４ａの記憶内容を更新してもよい。
【００６７】
（２−４−４−２）商品別ラベル格納情報記憶領域
商品別ラベル格納情報記憶領域２４ｂには、商品別ラベル格納情報が記憶される。商品別ラベル格納情報は、少なくとも、商品を特定する商品情報と、その商品に関するラベルの格納棚１０における格納場所Ｐの情報と、が関連付けられた情報である（図７参照）。
【００６８】
商品を特定する商品情報は、例えば、商品の種類別の商品ＩＤ（例えば、商品に付されたＪＡＮコード等）である。ただし、商品を特定する商品情報は、商品ＩＤに限定されるものではなく、商品名等、商品を特定可能な情報であればよい。ラベルの格納棚１０における格納場所Ｐの情報は、例えばラベルが格納された格納場所Ｐの識別符号（Ｐ１１〜Ｐ１４，Ｐ２１〜Ｐ２４，Ｐ３１〜Ｐ３４）である。
【００６９】
例えば、商品別ラベル格納情報記憶領域２４ｂには、商品別に、商品ＩＤと、商品名と、商品に関するラベル（商品に貼付されるラベル）のラベル名と、商品に関するラベルの格納棚１０における格納場所Ｐの情報と、が関連付けて記憶される（図７参照）。なお、図７は、商品別ラベル格納情報記憶領域２４ｂにおいて関連付けて記憶される情報の一例にすぎない。商品別ラベル格納情報記憶領域２４ｂには、更に、商品の単価、価格、在庫情報等の、商品に関する各種情報が、商品を特定する商品情報と関連付けて記憶されてもよい。
【００７０】
コンピュータ２０に記憶されている情報を管理する情報管理者等は、新たな商品が取り扱われる事になった場合や、ある商品に付すラベルが変更となった場合等に、入力部２２を用いて商品別ラベル格納情報記憶領域２４ｂの記憶内容を更新する。なお、商品別ラベル格納情報記憶領域２４ｂの記憶内容の更新方法は、一例に過ぎず、情報管理者は、例えば、通信部２１と通信可能な携帯端末を用いて、商品別ラベル格納情報記憶領域２４ｂの記憶内容を更新してもよい。
【００７１】
なお、商品別ラベル格納情報記憶領域２４ｂにおいて、ラベルの格納場所Ｐの情報は、情報管理者等が直接変更する必要がないことが好ましい。例えば、商品別ラベル格納情報記憶領域２４ｂにおいて、ある商品（商品Ｘと呼ぶ）に付すラベルの追加や変更が行われると、商品Ｘに関するラベルの格納場所Ｐの情報は、ラベル別格納情報記憶領域２４ａに記憶された情報に基づいて自動で更新されることが好ましい。また、ラベル別格納情報記憶領域２４ａの記憶内容が更新された場合、これに連動して、商品別ラベル格納情報記憶領域２４ｂ内のラベルの格納場所Ｐの情報が自動的に更新されることが好ましい。
【００７２】
（２−４−４−３）表示器設置位置情報記憶領域
表示器設置位置情報記憶領域２４ｃには、表示器設置位置情報が記憶されている。表示器設置位置情報は、複数の情報表示器３０のそれぞれに割り当てられた表示器ＩＤと、その情報表示器３０の設置位置情報と、が関連付けられた情報である。ここでは、情報表示器３０の設置位置情報は、その情報表示器３０と対応付けられている格納棚１０の格納場所Ｐの位置情報（格納場所Ｐの識別符号）である。
【００７３】
（２−４−５）制御部
制御部２５は、主にＣＰＵを有する。制御部２５は、記憶部２４に記憶されているプログラムを実行することで、ラベル格納装置１００を制御する。制御部２５は、例えば、ネットワーク９１，９２を介して接続されている情報表示器３０及び表示装置４０の表示を制御する。
【００７４】
制御部２５は、商品が選択されていない時（待機状態時）に、情報表示器３０に、その情報表示器３０に対応付けられた格納棚１０の格納場所Ｐに格納されているラベルの印字内容を表示させる（図８参照）。待機状態時に情報表示器３０が表示部３１に表示する表示を、待機状態表示と呼ぶ。
【００７５】
具体的には、制御部２５は、以下の様に、情報表示器３０の表示部３１に待機状態表示を表示させる。ここでは、ラベル別格納情報記憶領域２４ａに、新たなラベルＲ３が追加され、ラベルＲ３の印字内容“特売"や、ラベルＲ３の格納場所Ｐの識別符号Ｐ３１が、ラベル名に関連付けて登録されたと仮定して、制御部２５の動作を説明する。
【００７６】
制御部２５は、ラベル別格納情報記憶領域２４ａを参照し、新たに追加されたラベルＲ３の印字内容（ここでは“特売"という文字情報）を取得し、その印字内容の画像データを生成する。また、制御部２５は、ラベル別格納情報記憶領域２４ａを参照し、新たに追加されたラベルＲ３の格納場所Ｐの識別符号Ｐ３１を取得する。次に、制御部２５は、表示器設置位置情報記憶領域２４ｃを参照し、取得したラベルＲ３の格納場所Ｐの識別符号と対応付けられている情報表示器３０の表示器ＩＤを取得する。そして、制御部２５は、取得した表示器ＩＤを有する情報表示器３０に、ネットワーク９１を介して、生成したラベルＲ３の印字内容の画像データを送信する。
【００７７】
画像データを受信した情報表示器３０（つまり情報の送信先の表示器ＩＤを有する情報表示器３０）の制御部３４は、コンピュータ２０の送信してきた待機状態表示の画像データを受信すると、受信した画像データを記憶部３３に記憶すると共に、表示部３１に待機状態表示を表示させる（図８（ｃ）参照）。情報表示器３０は、コンピュータ２０から表示部３１の表示の変更指示を受け付けるまで（次に画像データが送信されてくるまで）、表示部３１の表示内容を維持する。
【００７８】
また、制御部２５は、入力部２２から商品が選択されると、機能部としての報知部２６が、記憶部２４の商品別ラベル格納情報記憶領域２４ｂに記憶された商品別ラベル格納情報に基づき、選択された商品に対応するラベルの格納場所Ｐに関する報知を行う。具体的には、報知部２６は、入力部２２から商品が選択されると、情報表示器３０及び表示装置４０の表示を以下の様に制御すことで、選択された商品に対応するラベルの格納場所Ｐに関する報知を行う。
【００７９】
具体的には、報知部２６は、入力部２２から商品が選択されると、選択された商品に対応するラベルの格納場所Ｐに対応する情報表示器３０の表示を、待機状態表示から選択状態表示に切り換えて、選択された商品に対応するラベルの格納場所Ｐを報知する。選択状態表示は、モノクロームの待機状態表示の表示色を反転（白と黒とを反転）させた表示である。
【００８０】
報知部２６は、以下の様にして、情報表示器３０の表示部３１の表示を、待機状態表示から選択状態表示に切り換える。
【００８１】
報知部２６は、商品に付されたバーコードを読み取った入力部２２のハンディスキャナから制御部２５に信号が入力されると、その信号を解読し、商品の商品ＩＤを特定する。次に、報知部２６は、商品別ラベル格納情報記憶領域２４ｂの商品別ラベル格納情報を参照して、特定した商品ＩＤと関連付けられたラベルの格納場所Ｐの識別符号を取得する。次に、報知部２６は、ラベル別格納情報記憶領域２４ａを参照し、取得したラベルの格納場所Ｐの識別符号と対応付けられた印字内容を取得し、その印字内容の画像データを生成する。この際、報知部２６は、待機状態表示とは表示色を反転させた印字内容の画像データを生成する。また、報知部２６は、表示器設置位置情報記憶領域２４ｃを参照し、取得したラベルの格納場所Ｐの識別符号と対応付けられている情報表示器３０の表示器ＩＤを取得する。そして、報知部２６は、取得した表示器ＩＤを有する情報表示器３０に、ネットワーク９１を介して、生成した選択状態表示の画像データを送信する。
【００８２】
画像データを受信した情報表示器３０（つまり情報の送信先の表示器ＩＤを有する情報表示器３０）の制御部３４は、コンピュータ２０の送信してきた選択状態表示の画像データを受信すると、受信した画像データを記憶部３３に記憶すると共に、表示部３１に選択状態表示を表示させる（待機状態表示から選択状態表示に表示を切り換える）。情報表示器３０は、コンピュータ２０から表示部３１の表示の変更指示を受け付けるまで（次に画像データが送信されてくるまで）、表示部３１の表示内容を維持する。
【００８３】
なお、入力部２２から商品が選択された時に、選択された商品に対応するラベルの格納場所Ｐ以外と対応付けられた情報表示器３０に選択状態表示が表示されている場合、制御部２５は、この情報表示器３０に待機状態表示の画像データを送信し、この情報表示器３０の表示を選択状態表示から待機状態表示に切り換える。また、制御部２５は、情報表示器３０の表示を選択状態表示に切り換えた後、所定時間（例えば１時間）が経過した後に、入力部２２からの商品の選択の有無に関わらず、その情報表示器３０に待機状態表示の画像データを送信し、情報表示器３０の選択状態を選択状態表示から待機状態表示に切り換えてもよい。
【００８４】
また、報知部２６は、入力部２２から商品が選択されると、ラベル格納場所報知画像（図９参照）を表示装置４０の表示部４１に表示させる。
【００８５】
ラベル格納場所報知画像は、選択された商品に対応するラベルの格納棚１０における格納場所Ｐを示す情報である。例えば、ラベル格納場所報知画像には、選択された商品の商品ＩＤ、商品名、商品と対応付けられたラベル名、商品と対応付けられたラベルの保管場所の識別番号が含まれる（図９参照）。また、ラベル格納場所報知画像には、格納場所の位置を示す画像情報が含まれる。格納場所の位置を示す画像情報では、例えば、格納棚１０を模式的に描画した画像において、選択された商品と対応付けられたラベルの格納場所Ｐが、他の格納場所Ｐとは異なる態様で表示される。例えば、格納場所の位置を示す画像情報では、選択された商品と対応付けられたラベルの格納場所Ｐだけが黒く塗りつぶされて表示される（図９参照）。また、ラベル格納場所報知画像には、商品と対応付けられたラベルの画像が合わせて表示されてもよい（図９参照）。なお、ここでは表示装置４０は１台であるが、表示装置４０を複数設け、各表示装置４０の表示部４１に、異なる（異なる情報を含む）ラベル格納場所報知画像を表示させてもよい。
【００８６】
具体的には、報知部２６は、商品に付されたバーコードを読み取った入力部２２のハンディスキャナから制御部２５に信号が入力されると、その信号を解読して、商品の商品ＩＤを特定する。次に、報知部２６は、商品別ラベル格納情報記憶領域２４ｂの商品別ラベル格納情報を参照し、特定した商品ＩＤと関連付けられた各種情報に基づいて、上記のようなラベル格納場所報知画像の画像データを生成する。そして、報知部２６は、表示装置４０に、ネットワーク９２を介して、生成したラベル格納場所報知画像の画像データを送信する。
【００８７】
画像データを受信した表示装置４０の制御部（図示省略）は、コンピュータ２０の送信してきたラベル格納場所報知画像の画像データを受信すると、受信した画像データを記憶部（図示省略）に記憶すると共に、表示部４１にラベル格納場所報知画像を表示させる。そして表示装置４０は、例えば、コンピュータ２０から表示部４１の表示の変更指示を受け付けるまで（次に画像データが送信されてくるまで）、あるいは、所定時間（例えば１時間）が経過するまで、表示部４１の表示内容を維持する。
【００８８】
（３）特徴
ラベル格納装置１００は、以下の特徴を有する。
【００８９】
（３−１）
ラベル格納装置１００は、格納部の一例としての格納棚１０と、記憶部２４と、報知部２６と、を備える。格納棚１０は、複数のラベルをそれぞれの格納場所Ｐにおいて格納する。記憶部２４は、商品を特定する商品情報と、その商品に関するラベルの格納場所Ｐの情報とを関連付けて商品別ラベル格納情報として記憶する。報知部２６は、商品が選択されると、商品別ラベル格納情報に基づき、選択された商品に対応するラベルの格納場所Ｐに関する報知を行う。
【００９０】
ラベル格納装置１００では、商品が選択されると、その商品に関するラベルの格納棚１０における格納場所Ｐが報知される。その結果、商品に付す正しいラベルを間違えずに見つけ出すことができる。また、ラベルを探す時間が必要ではないため、効率よく商品に付すラベルを見つけ出すことができる。
【００９１】
（３−２）
ラベル格納装置１００は、商品の選択の入力を受け付ける入力部２２を備える。
【００９２】
ラベル格納装置１００では、商品にラベルを付す作業者等が入力部から商品を選択することで、複数のラベルが格納された格納棚１０において、その商品に対応するラベルを容易に見つけ出すことができる。そのため、商品やラベルの種類が多い場合や、頻繁に商品に付すラベルが変更される場合であっても、正確に、効率よく商品に付すラベルを特定することができる。
【００９３】
（３−３）
ラベル格納装置１００は、格納場所Ｐのそれぞれに対応付けて配置される複数の情報表示器３０を備える。報知部２６は、商品が選択されると、選択された商品に対応するラベルの格納場所Ｐに対応する情報表示器３０の表示を、待機状態表示から選択状態表示に切り換えて、選択された商品に対応するラベルの格納場所Ｐを報知する。
【００９４】
ラベル格納装置１００では、商品が選択されると、その商品に対応するラベルの格納場所Ｐに対応付けられて配置された情報表示器３０の表示が切り換えられるため、作業者等は容易に商品に付すラベルを特定することができる。
【００９５】
（３−４）
ラベル格納装置１００は、表示部の一例として、表示部４１（表示装置４０の表示部４１）を備える。報知部２６は、商品が選択されると、選択された商品に対応するラベルの格納場所Ｐを示す情報を表示部４１に表示させることで、選択された商品に対応するラベルの格納場所Ｐを報知する。
【００９６】
ラベル格納装置１００では、商品が選択されると、その商品に対応するラベルの格納場所Ｐを示す情報が表示装置４０の表示部４１に表示されるため、作業者等は容易に商品に付すラベルを特定することができる。
【００９７】
（３−５）
ラベル格納装置１００では、ラベルは、ＰＯＰラベルを含む。
【００９８】
商品に付されるＰＯＰラベルは、例えば、日によって、あるいは、時間によって変更される場合があり、ＰＯＰラベルを商品に付す作業者が商品とＰＯＰラベルとの対応を正確に把握することが難しい場合がある。このような場合にも、正しいＰＯＰラベルが報知されるので、作業者は、間違えることなく、短時間で、商品に付す正しいＰＯＰラベルを特定することができる。
【００９９】
（４）変形例
上記実施形態に係るラベル格納装置１００の変形例を以下に示す。なお、各変形例は、互いに矛盾が生じない範囲で他の変形例と組み合わせて適用されてもよい。
【０１００】
（４−１）変形例１Ａ
ラベル格納装置１００では、入力部２２が商品の選択（商品の種類の選択）を受け付ける。しかし、商品の選択方法は、上記方法に限定されるものではない。
【０１０１】
例えば、ラベル格納装置１００では、入力部２２に代えて、又は、入力部２２に加えて、受付部の一例としての通信部２１が、ネットワーク９３により通信可能に接続された商品処理装置２００から商品の選択を受け付けてもよい（図１０参照）。
【０１０２】
商品処理装置２００は、例えば、商品にラベルを貼付する前工程として、ラベルの貼付対象となる商品に各種処理を行う装置である。商品処理装置２００は、例えば、物品の入った容器を包装して商品を生産する包装装置である。また、商品処理装置２００は、例えば、商品の重量を計量し、計量結果に基づいて算出される価格を印字したラベル（格納棚１０には格納されていないラベル）を発行する計量ラベル印字装置であってもよい。また、商品処理装置２００は、例えば、商品名等を印字したラベル（格納棚１０には格納されていないラベル）を発行するラベル印字装置であってもよい。また、商品処理装置２００は、例えば、商品への金属異物の混入の検査を行う金属検出機であってもよい。商品処理装置２００は、商品処理のために商品を特定する情報を有し、この情報をコンピュータ２０の通信部２１へと送信する。
【０１０３】
ネットワーク９３は、通信ケーブル等を用いて構成されるいわゆる有線ＬＡＮである。ネットワーク９３は、コンピュータ２０と商品処理装置２００との間で送受信される信号の伝送路として機能する。なお、コンピュータ２０と商品処理装置２００とは、無線で接続されてもよい。
【０１０４】
変形例１Ａに係るラベル格納装置では、商品を処理する商品処理装置２００から商品の選択を受け付けるので、作業者等がラベル格納装置１００において商品を選択する操作をすることなく、格納棚１０において対象商品に対応するラベルを効率よく見つけ出すことができる。そのため、作業時間を特に短縮可能で、正しいラベルを効率よく見つけることができる。
【０１０５】
（４−２）変形例１Ｂ
上記実施形態のラベル格納装置１００では、表示器は情報表示器３０であるが、表示器の種類は情報表示器に限定されるものではない。
【０１０６】
例えば、表示器は、表示灯（ランプ）であってもよい。各表示灯は、格納棚１０の１の格納場所Ｐに対応付けられて、例えば１の格納場所Ｐに隣接して（例えば、上記実施形態と同様に格納場所Ｐの下方に）配置される。表示灯は、例えば、通常は消灯している（つまり待機状態表示は無点灯である）。コンピュータ２０の報知部は、商品が選択されると、選択された商品に対応するラベルの格納場所Ｐに対応付けられた表示灯の表示を、待機状態表示（消灯）から選択状態表示（点灯）に切り換えて、選択された商品に対応するラベルの格納場所Ｐを報知する。
【０１０７】
（４−３）変形例１Ｃ
上記実施形態における情報表示器３０の待機状態表示及び選択状態表示は例示であって、上述した態様に限定されるものではない。
【０１０８】
例えば、待機状態表示は、無表示であってもよい。つまり、情報表示器３０には、入力部２２から商品が選択されるまで何も表示されてなくてもよい。そして、報知部２６は、入力部２２から商品が選択されると、その商品に対応付けられた格納棚１０の格納場所Ｐに対応付けられている情報表示器３０に、格納されているラベルの印字内容を選択状態表示として表示させてもよい。
【０１０９】
（４−４）変形例１Ｄ
ラベル格納装置１００では、コンピュータ２０の記憶部２４の記憶内容は、入力部２２からの入力で更新されるが、これに限定されるものではない。
【０１１０】
例えば、コンピュータ２０は、コンピュータ２０の記憶部２４のデータを統括管理する管理サーバ（上位のコンピュータ）と、インターネット等のネットワークにより接続されてもよい。そして、コンピュータ２０は、管理サーバ側で更新された、商品別ラベル格納情報等を適宜読み出すことで記憶部２４の情報を更新してもよい。
【０１１１】
（４−５）変形例１Ｅ
ラベル格納装置１００では、報知部２６は、商品が選択されると、表示装置４０の表示部４１にラベル格納場所報知画像を表示させることで、商品に対応するラベルの格納場所を報知するが、これに限定されるものではない。例えば、報知部２６は、商品が選択されると、コンピュータ２０の出力部２３のディスプレイにラベル格納場所報知画像を表示させることで、商品に対応するラベルの格納場所を報知してもよい。
【０１１２】
（４−６）変形例１Ｆ
ラベル格納装置１００は、情報表示器３０と表示装置４０とを両方有するが、これに限定されるものではなく、その一方だけを有するものであってもよい。
【０１１３】
（４−７）変形例１Ｇ
ラベル格納装置１００では、情報表示器３０及び表示装置４０を用いて、視覚的に、選択された商品に対応するラベルの格納場所Ｐに関する報知を行うがこれに限定されるものではない。例えば、視覚的な報知に加えて、又は、視覚的な報知に代えて、選択された商品に対応するラベルの格納場所Ｐの識別符号が読み上げられる等、音声で選択された商品に対応するラベルの格納場所Ｐに関する報知が行われてもよい。
【０１１４】
＜第２実施形態＞
本発明のラベル格納装置の一実施形態に係るラベル貼付装置１００Ａについて説明する。
【０１１５】
（１）全体構成
ラベル貼付装置１００Ａは、商品にラベルを付す作業が行われる場所に設置される。ラベル貼付装置１００Ａは、例えば、各種商品（例えば、生鮮食品等）の販売されるスーパーマーケット等の店舗や、店舗で販売される商品の加工拠点等に設置される。
【０１１６】
ラベル貼付装置１００Ａは、商品に付される複数種類の補助ラベルを格納し、これを商品に自動で貼付する装置である。補助ラベルは、第１実施形態のラベルと同様のラベルである。補助ラベルは、種類別に、それぞれのラベルの格納場所に格納される。なお、ラベル貼付装置１００Ａは、複数種類の商品用に補助ラベルを格納する。各商品に付される補助ラベルは、商品に付すラベルを管理する管理者等により定められている。
【０１１７】
図１１は、ラベル貼付装置１００Ａのブロック図である。
【０１１８】
ラベル貼付装置１００Ａは、主に、コンピュータ２０Ａと、ラベル貼付ユニット６００と、を備える（図１１参照）。
【０１１９】
ラベル貼付ユニット６００は、補助ラベルを格納する格納場所Ｑを複数有する（図１１参照）。各格納場所Ｑには、それぞれ異なる種類の所定のラベルが格納されている。各格納場所Ｑには、図１１のように、格納場所Ｑの位置を特定する識別符号（Ｑ１〜Ｑ３）が付与されている。なお図１１中の格納場所Ｑの数は、例示に過ぎず、これに限定されるものではない。
【０１２０】
ラベル貼付ユニット６００は、コンピュータ２０Ａからの指示に基づいて、例えば商品名や価格等を印字内容に含む主ラベルを印字して商品に貼付する。また、ラベル貼付ユニット６００は、コンピュータ２０Ａからの補助ラベルの格納場所Ｑに関する報知に基づき、格納場所Ｑに格納されている印字済みの補助ラベルを商品に貼付する。
【０１２１】
コンピュータ２０Ａは、制御部２５ａ及び報知部２６ａ以外については、第１実施形態のコンピュータ２０と同様である。
【０１２２】
コンピュータ２０Ａとラベル貼付ユニット６００とは、ネットワーク９４を介して接続されている。ネットワーク９４は、コンピュータ２０とラベル貼付ユニット６００との間で送受信される信号の伝送路として機能する。ネットワーク９４は、通信ケーブル等を用いて構成されるいわゆる有線ＬＡＮである。なお、コンピュータ２０とラベル貼付ユニット６００とは、無線で接続されてもよい。
【０１２３】
（２）詳細構成
（２−１）ラベル貼付ユニット
ラベル貼付ユニット６００は、コンピュータ２０Ａの指示に基づいて主ラベルを印字して商品に貼付する。また、ラベル貼付ユニット６００は、コンピュータ２０Ａの報知部２６ａの報知に基づいて、格納場所Ｑに格納された印字済みの補助ラベルを商品に貼付する。
【０１２４】
ラベル貼付ユニット６００は、主に、通信部６１０と、記憶部６２０と、制御部６３０と、撮像部６７０と、印字貼付機構６４０と、貼付機構６５０ａ，６５０ｂ，６５０ｃと、コンベア６６０と、を備える。
【０１２５】
コンベア６６０は、主ラベル及び補助ラベルの貼付対象の商品Ｇを搬送するコンベアである（図１１参照）。
【０１２６】
通信部６１０は、コンピュータ２０Ａとの通信機能を担う機能部である。通信部６１０は、コンピュータ２０Ａと通信を行うための通信回路を主に含む（図示省略）。
【０１２７】
記憶部６２０は、ＲＡＭ、ＲＯＭ等のメモリで構成され、各種情報が記憶されている。例えば、記憶部６２０には、制御部６３０が実行するプログラム、及びプログラムの実行に必要なデータが格納されている。例えば、記憶部６２０には、コンピュータ２０Ａから送信されてきた、印字貼付機構６４０が印字する主ラベルの印字内容や、貼付する補助ラベルの格納場所Ｑの情報が記憶される。
【０１２８】
制御部６３０は、主にＣＰＵを有する。制御部６３０は、記憶部６２０に記憶されている制御プログラムを実行することによって、印字貼付機構６４０、貼付機構６５０ａ，６５０ｂ，６５０ｃ、及びコンベア６６０等の動作を制御する。
【０１２９】
撮像部６７０は、例えばＣＣＤカメラである。撮像部６７０は、コンベア６６０を搬送される商品Ｇを撮像し、撮像データを制御部６３０に送信する。制御部６３０は、撮像部６７０から取得される撮像データ及びコンベア６６０の搬送速度等に基づいて、所定のタイミングで印字貼付機構６４０や、貼付機構６５０ａ，６５０ｂ，６５０ｃの動作を制御し、商品Ｇの所定位置に、主ラベルや補助ラベルを貼付する。
【０１３０】
印字貼付機構６４０は、ラベルプリンタ及びラベル発行機を有する（図示省略）。制御部６３０は、印字貼付機構６４０のラベルプリンタの動作を制御し、コンピュータ２０Ａから送信されてくる印字内容を未印字のラベルに印字する。また、制御部６３０は、印字貼付機構６４０のラベル発行機の動作を制御し、商品Ｇの所定の位置に、ラベルプリンタによって印字された主ラベルを貼り付ける。
【０１３１】
貼付機構６５０ａ，６５０ｂ，６５０ｃは、それぞれラベル発行機を有する（図示省略）。貼付機構６５０ａは、その内部にラベルの格納場所Ｑ（識別符号Ｑ１）を有する。貼付機構６５０ｂは、その内部にラベルの格納場所Ｑ（識別符号Ｑ２）を有する。貼付機構６５０ｃは、その内部にラベルの格納場所Ｑ（識別符号Ｑ３）を有する。制御部６３０は、コンピュータ２０Ａの報知部２６ａが報知してきた補助ラベルの格納場所Ｑの情報に基づいて、その格納場所Ｑを有する貼付機構６５０ａ，６５０ｂ，６５０ｃを選択する。制御部６３０は、選択した貼付機構６５０ａ，６５０ｂ，６５０ｃのラベル発行機の動作を制御し、商品Ｇの所定の位置に補助ラベルを貼り付ける。
【０１３２】
（２−２）コンピュータ
コンピュータ２０Ａは、商品に関する各種情報を記憶・管理する装置である。
【０１３３】
コンピュータ２０Ａは、制御部２５ａ及び報知部２６ａ以外は、第１実施形態のコンピュータ２０と同様である。ここでは、コンピュータ２０との相違点である制御部２５ａ及び報知部２６ａについて説明し、その他の構成についての説明は省略する。
【０１３４】
（２−２−１）制御部
制御部２５ａは、物理的な構成は、第１実施形態のコンピュータ２０の制御部２５と同様である。
【０１３５】
制御部２５ａは、記憶部２４に記憶されているプログラムを実行することで、ネットワーク９４を介して接続されているラベル貼付ユニット６００の動作を制御する。
【０１３６】
例えば、制御部２５ａは、入力部２２から商品が選択されると、あるいは変形例１Ａのように通信部２１が商品の選択を受け付けると、以下のような処理を実行する。なお、商品の選択は、ラベル貼付ユニット６００のコンベア６６０を搬送される商品が変更となる時、あるいは、これまで何も搬送していなかったコンベア６６０が、商品を搬送し始める時等に行われる。
【０１３７】
制御部２５ａは、商品が選択されると（入力部２２又は通信部２１が受け付けた商品ＩＤが特定されると）、記憶部２４の商品マスタ記憶領域（図示省略）から、選択された商品に関して所定の情報を読み出す。制御部２５ａは、商品マスタ記憶領域から読み出された所定の情報を、印字貼付機構６４０のラベルプリンタが印字する印字内容として、ラベル貼付ユニット６００に送信する。
【０１３８】
また、制御部２５ａは、商品が選択されると（入力部２２又は通信部２１が受け付けた商品ＩＤが特定されると）、機能部としての報知部２６ａが、記憶部２４の商品別ラベル格納情報記憶領域２４ｂに記憶された商品別ラベル格納情報に基づき、選択された商品に対応するラベルの格納場所Ｑに関する報知をラベル貼付ユニット６００に対し行う。
【０１３９】
具体的には、報知部２６ａは、商品が選択されると、記憶部２４の商品別ラベル格納情報記憶領域２４ｂに記憶された商品別ラベル格納情報を参照して、商品ＩＤと関連付けられたラベルの格納場所Ｑの識別符号を取得する。次に、報知部２６ａは、取得したラベルの格納場所Ｑの識別符号を、ラベル貼付ユニット６００に送信する。
【０１４０】
ラベル貼付ユニット６００の制御部６３０は、コンピュータ２０Ａの報知部２６ａが報知してきた補助ラベルの格納場所Ｑの情報に基づいて、その格納場所Ｑを有する貼付機構６５０ａ，６５０ｂ，６５０ｃを選択する。制御部６３０は、選択した貼付機構６５０ａ，６５０ｂ，６５０ｃのラベル発行機の動作を制御し、コンベア６６０により搬送される商品Ｇの所定の位置に補助ラベルを貼り付ける。
【０１４１】
（３）特徴
以下に、上記実施形態に係るラベル貼付装置１００Ａの特徴について説明する。
【０１４２】
なお、記載の重複を避けるために省略するが、ラベル貼付装置１００Ａは、第１実施形態のラベル格納装置１００の特徴として記載した、（３−２）及び（３−５）の特徴と同様の特徴を有する。
【０１４３】
（３−１）
ラベル貼付装置１００Ａは、格納部の一例としてのラベル貼付ユニット６００と、記憶部２４と、報知部２６ａと、を備える。ラベル貼付ユニット６００は、複数の補助ラベルをそれぞれの格納場所Ｑにおいて格納する。記憶部２４は、商品を特定する商品情報と、その商品に関するラベルの格納場所Ｑの情報とを関連付けて商品別ラベル格納情報として記憶する。報知部２６ａは、商品が選択されると、商品別ラベル格納情報に基づき、選択された商品に対応するラベルの格納場所Ｑに関する報知を行う。
【０１４４】
ラベル貼付装置１００Ａでは、商品が選択されると、その商品に関するラベルの格納場所Ｑがラベル貼付ユニット６００に報知される。その結果、ラベル貼付装置１００Ａを操作するオペレータが、商品毎に格納場所Ｑ（言い換えれば、動作すべき貼付機構６５０ａ〜６５０ｃ）を手動で選択する場合とは異なり、商品に付す正しい補助ラベルを間違えずに特定することができる。また、オペレータが、商品毎に格納場所Ｑを手動で選択する場合とは異なり、格納場所Ｑを探す時間が必要ではないため、効率よく商品に付す補助ラベルを見つけ出すことができる。
【０１４５】
（４）変形例
上記実施形態のラベル貼付装置１００Ａの変形例を以下に示す。なお、各変形例は、互いに矛盾が生じない範囲で他の変形例と組み合わせて適用されてもよい。
【０１４６】
また、第２実施形態のラベル貼付装置１００Ａ及びその変形例の構成と、第１実施形態のラベル格納装置１００や第１実施形態の変形例の構成とは、互いに矛盾が生じない範囲で適宜組み合わされてもよい。
【０１４７】
（４−１）変形例２Ａ
ラベル貼付装置１００Ａでは、ラベル貼付ユニット６００は、印字貼付機構６４０を有するが、これに限定されるものではない。ラベル貼付装置１００Ａは、予め印字された補助ラベルを貼付する貼付機構６５０ａ，６５０ｂ，６５０ｃだけを有するものであってもよい。
【０１４８】
（４−２）変形例２Ｂ
ラベル貼付装置１００Ａでは、貼付機構６５０ａ，６５０ｂ，６５０ｃは、それぞれ１つの補助ラベルの格納場所Ｑを有するが、これに限定されるものではない。例えば、貼付機構は、それぞれが２箇所以上の補助ラベルの格納場所を有してもよい。そして、貼付機構のラベル発行機は、ラベル貼付ユニットの複数の格納場所の中から１の格納場所を選択して補助ラベルを取り出すことが可能に構成されてもよい。そして、ラベル貼付ユニットの制御部は、コンピュータ２０Ａの報知部２６ａが報知してきた補助ラベルの格納場所の情報に基づいて、貼付機構にその格納場所から補助ラベルを取り出させ、これを商品Ｇの所定の位置に貼り付けさせてもよい。
【０１４９】
（４−３）変形例２Ｃ
第１実施形態のラベル格納装置１００の構成に、以下の様に第２実施形態のラベル貼付ユニット６００が組み合わされてもよい。
【０１５０】
変形例２Ｃでは、コンピュータ２０の報知部２６は、商品の選択時に、ラベル貼付ユニット６００に対して報知を行うのではなく、情報表示器３０や表示装置４０を用いて、ラベルの格納棚１０におけるラベルの格納場所Ｐを作業者に対して報知する。作業者は、格納場所Ｐに関する報知に基づき、その格納場所Ｐからラベルを取り出して、これをラベル貼付ユニット６００の貼付機構６５０ａのラベルの格納場所Ｑにセットする。その結果、貼付機構６５０ａに、商品Ｇの所定の位置に、選択された商品に対応する補助ラベルを貼り付けさせることできる。
【産業上の利用可能性】
【０１５１】
本発明は、商品に付されるラベルを格納するラベル格納装置に広く適用でき有用である。
【符号の説明】
【０１５２】
１０              格納棚（格納部）
２１              通信部（受付部）
２２              入力部
２４              記憶部
２６，２６ａ      報知部
３０              情報表示器（表示器）
４１              表示部
１００            ラベル格納装置
１００Ａ          ラベル貼付装置（ラベル格納装置）
２００            商品処理装置
６００            ラベル貼付ユニット（格納部）
Ｐ，Ｑ            格納場所
Ｒ１，Ｒ２，Ｒ３  ラベル（ＰＯＰラベル）
【先行技術文献】
【特許文献】
【０１５３】
【特許文献１】特開２００２−１７２８２０号公報
【図１】
2018131231.tif 000003
【図２】
2018131231.tif 000004
【図３】
2018131231.tif 000005
【図４】
2018131231.tif 000006
【図５】
2018131231.tif 000007
【図６】
2018131231.tif 000008
【図７】
2018131231.tif 000009
【図８】
2018131231.tif 000010
【図９】
2018131231.tif 000011
【図１０】
2018131231.tif 000012
【図１１】
2018131231.tif 000013
【図１２】
2018131231.tif 000014